(57)【特許請求の範囲】
【請求項１】
支柱と、前記支柱の一側端に取付ボルトにより固定されるコーナー部材と、前記支柱の他側端に取付けられる塀パネルとを備え、塀パネルは、パネル本体の左右端部に縦枠材が取付けられ、前記縦枠材は、前記支柱側に開口するコ字状溝が上下に沿って設けられると共に、該コ字状溝の底部において前記支柱と反対側に開口する凹溝が設けられて、該凹溝に前記パネル本体の左右端部が挿入されており、かつ、コーナー部材から前記塀パネルに向けて支柱を貫通した取付ボルトのねじ部にナットが締着されて、前記コーナー部材が支柱の一側端に固定されていると共に、前記ナット及びねじ部先端部が前記縦枠材のコ字状溝内に収納されていることを特徴とする塀。
【請求項２】
前記支柱の他側面には塀パネル側に向けて相対向して突出する接続片が前記縦枠材のコ字状溝に挿入され、前記接続片とコ字状溝の側壁部とが固定され、もって塀パネルが支柱に取付けられていることを特徴とする請求項１に記載の塀。
【請求項３】
前記パネル本体は矩形状となされて、前記縦枠材に加えて、前記パネル本体の上下端部に横枠材を備えて、前記パネル本体の上下端部が前記横枠材の内側面に設けられた凹溝に挿入され、そして、前記パネル本体は左右方向に延びる複数の横リブが表裏両面に形成されると共に、表裏両面において、前記横リブは互い違いに形成され、前記凹溝はその入口部の間隔寸法が、表裏両面の横リブの頂部間の寸法より狭くなされて、前記横リブが形成されたパネル本体の上下端部を前記凹溝に圧入させるようになされたことを特徴とする請求項１に記載の塀。
【発明の詳細な説明】
【技術分野】
【０００１】
本発明は、コーナー部における塀に関するものであり、特にコーナー部において隣接する支柱どうしが連結された塀に関するものである。
【背景技術】
【０００２】
一般に、敷地境界部や隣地境界部に沿って設置される塀において、特にコーナー部においてコーナー部における塀の交差角度に合わせて塀を設ける方法としては様々なものが提案されている。例えば、コーナー部に支柱を立設し、塀の交差角度に合わせて、支柱の側面に塀パネル取付部を設け、この取付部に塀パネルの側端部を取付けて塀のコーナー部を形成するものである。この場合、塀の交差角度が一般的な９０度の場合は好適に利用できるものの、塀の交差角度が９０度以外の場合は、その交差角度に合わせてその都度支柱を作成する必要があり、又、実際に塀を施工する際に、施工誤差や加工誤差等により交差角度に誤差が生じた場合、その調整作業は容易なものではなかった。
【０００３】
そこで、下端部が固定された固定柱と、固定柱の一側縁に蝶番を介して水平回動自在に連結した自由柱とを有し、交差する一方のフェンスパネル体の端部を固定柱の側面に取付け、他方のフェンスパネル体の端部を自由柱の側面に取付けたフェンスのコーナー支柱が提案されている（例えば、特許文献１参照。）。
【０００４】
このコーナー支柱は、交差するフェンスパネル体の交叉角度に合わせて自由柱を水平回動すれば、自由柱の側面をフェンスパネル体の端部の向きに合わせることができる。また、施工場所に固定するのは固定柱だけなので、施工作業は固定柱を立設するだけで完了するものである。
【特許文献１】特開２００３−２０６６５２号公報
【発明の開示】
【発明が解決しようとする課題】
【０００５】
しかしながら、前記のコーナー支柱には次のような問題点があった。すなわち、コーナー支柱の一側縁に蝶番を固定部材で固定する際、この反対側の支柱側縁にフェンスパネル体が取付けられることが多いため、フェンスパネル体と干渉しないように、支柱を貫通しないタッピングビス等が用いられるが、ボルト・ナット等による固定方法と比べると、固定強度が低く、取付後に蝶番にがたつきが生じやすいという点で問題があった。
【０００６】
本発明は、前記の如き問題点を解消し、支柱の一側端にコーナー部材を取付ける際に、支柱の他側端に取付けられる塀パネルと干渉しないようになされた塀を提供せんとするものである。
【課題を解決するための手段】
【０００７】
上記目的を達成するために、本発明は次のような構成としている。
すなわちこの発明に係る塀は、支柱と、前記支柱の一側端に取付ボルトにより固定されるコーナー部材と、前記支柱の他側端に取付けられる塀パネルとを備え、塀パネルは、パネル本体の左右端部に縦枠材が取付けられ、前記縦枠材は、前記支柱側に開口するコ字状溝が上下に沿って設けられると共に、該コ字状溝の底部において前記支柱と反対側に開口する凹溝が設けられて、該凹溝に前記パネル本体の左右端部が挿入されており、かつ、コーナー部材から前記塀パネルに向けて支柱を貫通した取付ボルトのねじ部にナットが締着されて、前記コーナー部材が支柱の一側端に固定されていると共に、前記ナット及びねじ部先端部が前記縦枠材のコ字状溝内に収納されていることを特徴とするものである。
【発明の効果】
【０００８】
本発明によれば、支柱と、前記支柱の一側端に取付ボルトにより固定されるコーナー部材と、前記支柱の他側端に取付けられる塀パネルとを備え、塀パネルは、パネル本体の左右端部に縦枠材が取付けられ、前記縦枠材は、前記支柱側に開口するコ字状溝が上下に沿って設けられると共に、該コ字状溝の底部において前記支柱と反対側に開口する凹溝が設けられて、該凹溝に前記パネル本体の左右端部が挿入されており、かつ、コーナー部材から前記塀パネルに向けて支柱を貫通した取付ボルトのねじ部にナットが締着されて、前記コーナー部材が支柱の一側端に固定されていると共に、前記ナット及びねじ部先端部が前記縦枠材のコ字状溝内に収納されているので、取付ボルトのねじ部に締着されたナットは、塀パネルの側端部と不必要な接触等を起こさず、且つ取付ボルトによりコーナー部材を支柱に強固に固定することができる。
【０００９】
本発明に係る塀において、前記支柱の他側面には塀パネル側に向けて相対向して突出する接続片が前記縦枠材のコ字状溝に挿入され、前記接続片とコ字状溝の側壁部とが固定され、もって塀パネルが支柱に取付けられるようになされれば、コーナー部材を支柱に固定した後に塀パネルを支柱に取付けることができるので、コーナー部材の固定作業を容易にすることができ、塀の施工性を向上させることができる。
【００１０】
又、本発明に係る塀において、前記パネル本体は矩形状となされて、前記縦枠材に加えて、前記パネル本体の上下端部に横枠材を備えて、前記パネル本体の上下端部が前記横枠材の内側面に設けられた凹溝に挿入され、そして、前記パネル本体は左右方向に延びる複数の横リブが表裏両面に形成されると共に、表裏両面において、前記横リブは互い違いに形成され、前記凹溝はその入口部の間隔寸法が、表裏両面の横リブの頂部間の寸法より狭くなされて、前記横リブが形成されたパネル本体の上下端部を前記凹溝に圧入させるようになされれば、塀パネルが凹溝内に挿入されると凹溝の入口部を形成する両側壁部から横リブの頂部を介して押圧力を受けるため、凹溝内で確実に挟持される。
【００１１】
更に、本発明に係る塀において、塀パネルの凹溝の奥部は入口部の間隔より幅広となされ、凹溝内において、前記縦リブが入口部と奥部との間の段部に係止可能となされれば、塀パネルに対して凹溝から引き出される方向に力が掛かっても、横リブが前記段部に係止され容易に引き出されなくなり、より好ましい
【発明を実施するための最良の形態】
【００１２】
次に、本発明を実施するための最良の形態について図面を参照し、具体的に説明する。
【００１３】
すなわち、図１は本発明に係る塀パネルの実施の一形態を示す説明図、図２のＡ−Ａ断面の縦断面図、図３はＢ−Ｂ断面の横断面図、図４は本発明に係る塀の実施の一形態を示す説明図、図５は図４の主要部の拡大横断面図、図６は図４の支柱の説明図、図７は図４の他の主要部の別の拡大横断面図である。
【００１４】
図面において、１は矩形状のパネル本体、２は塀パネル２の上下端部に取付けられた横枠材、３は塀パネル１の左右端部に取付けられた縦枠材、４は塀パネルＰが取付けられる支柱、９は支柱４どうしを連結するコーナー部材であり、塀パネルＰはパネル本体１、横枠材２、及び縦枠材３から主に構成され、塀Ｆは、支柱４と、支柱４の間に取付けられた塀パネルＰと、支柱４どうしを連結するコーナー部材９から主に構成されている。
【００１５】
図１は、塀パネルＰの説明図であり、（ａ）は正面図、（ｂ）は部分拡大側面図である。塀パネルＰは、矩形状のパネル本体１の上下端部に横枠材２がそれぞれ取付けられ、塀パネル１の左右端部に縦枠材３がそれぞれ取付けられたものである。
【００１６】
図２の（ａ）は、図１のＡ−Ａ断面の主要部を示す拡大縦断面図であり、（ｂ）は（ａ）の部分分解図である。まず、パネル本体１は、略矩形の薄板状で表裏面は略平坦となされた平坦面１１、１２が形成されると共に、表裏両面において、平坦面１１、１２からそれぞれ突出され左右方向に延びる複数の横リブ１３、１４が略等間隔で形成される。そして、この横リブ１３、１４は互い違いに形成されている。
【００１７】
次に、横枠材２は、断面矩形の中空角パイプ状に形成されると共に、内側面には、長手方向に沿って凹溝２１が形成され、この凹溝２１にパネル本体１の上端部が挿入されている。
【００１８】
凹溝２１は、開口部先端の間隔寸法がパネル本体１の横リブ１３、１４の頂部間の寸法より広くなされると共に、凹溝２１の間隔寸法は奥に向けて徐々に狭くなりその奥に入口部２２が形成されている。そして、入口部２２の間隔寸法はほぼ一定となされ、前記横リブ１３、１４の頂部間の寸法より狭くなされている。これにより、パネル本体１の上端部を横枠材２の凹溝２１に圧入させた際に、凹溝２１の入口部２２を形成する両側壁２２１、２２２によりパネル本体１の横リブ１３、１４が押圧され、パネル本体１は、凹溝２１内で確実に挟持される。又、横リブ１３、１４は互い違いに形成され、それぞれの真裏側には横リブ１４、１３が形成されていないため、両側壁部２２１、２２２から受けた過剰な押圧力は、パネル本体１自身が横リブ１３、１４の基端側へ向けて弾性的に変形することによって吸収可能となる。これにより、パネル本体１を凹溝２１内に比較的容易に圧入させることができ、且つパネル本体１を凹溝２１内で確実に挟持させることができる。又、入口部２２の間隔寸法は、横リブ１３の頂部と平坦面１２との距離寸法、及び横リブ１４と平坦部１１との距離寸法より長くなされている。これにより、パネル本体１に対して凹溝２１から過剰な押圧力が掛かりにくく、又パネル本体１を凹溝２１に比較的圧入させやすくなる。
【００１９】
凹溝２１において、本形態では、入口部２２の両側壁部２２１、２２２からパネル本体１にに受ける押圧力は、横リブ１３、１４がそれぞれに掛かるようになされている。これにより、パネル本体１は凹溝２１内でより安定的に挟持される。前記押圧力を受ける横リブ１３、１４の数が多い程、パネル本体はより安定的に挟持されるが、それぞれ側壁部２２１、２２２から少なくとも１個の横リブ１３、１４で前記押圧力を受けるように配置するのが好ましい。
【００２０】
凹溝２１の奥部２３は入口部２２の間隔より幅広となされ、入口部２２と奥部２３との間には段部２４が設けられると共に、本形態では、この奥部２３にパネル本体１の上端部の先端が挿入され、少なくとも１個の横リブ１３、１４が奥部２３内に位置するようになされている。これにより、図４に示すように、パネル本体１を支柱４の間に取付けられた場合、パネル本体１に風等による外力が生じた場合、パネル本体１には横リブ１３、１４が形成されているため、比較的上下方向に撓みが生じやすく、したがってパネル本体１は、凹溝２１内から引き出される方向に力が掛かる場合があるが、横リブ１３又は横リブ１４の少なくとも一方が段部２４に係止されるため容易に引き出されなくなり、パネル本体１に生じる撓みを抑えることができる。又、パネル本体１の縁部において加工時にバリや突起等が生じても、この縁部は奥部２３内に配置されることになるため、凹溝２１に対して不必要に接触し、パネル本体１の挟持が阻害されるようなことは起こりにくくなる。尚、図示していないが、図１においてパネル本体１の下端部の横枠材２も上記の横枠材２と同様な形態である。又、パネル本体１を横枠材２の凹溝２１に圧入させる際は、凹溝２１の開口部側から圧入させてもよく、横枠材２の側端部から凹溝２１に圧入させてもよい。
【００２１】
凹溝２１の底部において、開口側とは反対側から横枠材２の外周部に向けて縦リブ２５が延設され、この縦リブ２５により凹溝２１の底部と横枠材２の外周部とが連結されている。これにより、塀パネル１が自重によって下方向に撓むことを抑えることができる。
【００２２】
図３は、図１のＢ−Ｂ断面の主要部を示す横断面図である。縦枠材３は、一側面に上下方向に沿ってコ字状溝３１が設けられると共に、コ字状溝３１の底部において開口側とは反対面には、長手方向に沿って凹溝３２が設けられ、パネル本体１の側端部が挿入されている。凹溝３２の形態は、横枠材２の凹溝２１と同様な形態であり、従って前記凹溝２１と同様な効果が生じるが、パネル本体１の挿入方向が異なっている。すなわち、横枠材２の凹溝２１にはパネル本体１の横リブ１３、１４が凹溝２１の深さ方向に平行に挿入されるのに対して、縦枠材３の凹溝３２にはパネル本体１の横リブ１３、１４が凹溝３２の深さ方向に平行に挿入される点が異なる。これにより、パネル本体１が縦枠材３の凹溝３２内に圧入された状態で、風等によりパネル本体に外力が掛かった場合、パネル本体１の厚さ方向において左右方向に生じる撓みを効果的に抑えることができる。尚、パネル本体１を縦枠材３の凹溝３２に圧入させる際は、凹溝３２の開口部側から圧入させてもよく、縦枠材３の側端部から凹溝３２に圧入させてもよい。
【００２３】
パネル本体１は、本形態では、熱可塑性合成樹脂からなる芯材の表裏両面に金属箔が貼着されたものであり、前記金属箔の表裏に横リブ１にはポリエチレン、ポリプロピレン等のポリオレフィン系の樹脂、或いはこれらを適宜混練されたもの、これらに水酸化アルミニウム、水酸化マグネシウム等の無機材料を適宜混練したものが用いられるが、使用時に弾性的に変形可能なものが好ましい。又金属箔としては、一般にはアルミニウム合金、ステンレス鋼、銅等の金属箔が用いられ、その表面には、装飾性を高めるために塗装が施されてもよく、装飾用のシートやフィルムを貼着されてもよいが、そのまま用いてもよい。
【００２４】
又パネル本体１は、横方向に横リブ１３、１４が形成されたものであるが、横リブ１３、１４が縦方向に形成されたものを用いてもよい。
【００２５】
横枠材２、縦枠材３は、一般にはアルミニウムや合成樹脂を押出成型して得られる長尺の型材を適宜長さに切断した部材からなるものであるが、アルミニウム以外の金属、または金属や無機材料と合成樹脂との複合材料、例えば合成樹脂に金属フィルムをラミネートしたもの、表面に着色がなされたもの等、横枠材２及び縦枠材３の長さや必要な強度に応じて、適宜使用できる。又、横枠材２及び縦枠材３の凹溝２１、３２は、本形態では、それぞれ１個形成されたものであるが、２個以上の複数個形成され、塀パネルＰを前後に間隔を開けて複数個取付けられる形態としてもよい。更に、本形態では、横枠材２と縦枠材３とを接続する際は、図１の（ｂ）に示すように、縦枠材３のコ字状溝３１の底部に設けた取付孔から、図２に示された横枠材２に形成されたビスホール２６に向けて取付ビス１０を螺入して、横枠材２と縦枠材３とを接続しているが、この接続方法は本形態に限られるものではない。
【００２６】
図４は、本発明に係る塀パネルＰを用いた塀Ｆの実施の一形態を示す正面図であり、（ａ）は平面図、（ｂ）は正面図である。塀パネルＰは縦枠材３を介して支柱４の間に取付られたものである。尚、本形態では、塀パネルＰは上下方向に２段積み重なった形態であるが、塀パネルＰが１段からなるものでもよく、３段以上積み重なった形態でもよい。
【００２７】
次に、支柱４に対する塀パネル４の取付構造について説明する。図５は図４の主要部を示す拡大横断面図であり、（ａ）はＣ−Ｃ断面、（ｂ）はＤ−Ｄ断面、（ｃ）はＥ−Ｅ断面を示す。又図６は支柱４の説明図であり、（ａ）は部分拡大正面図、（ｂ）はＦ−Ｆ断面の横断面図である。支柱４は中空の角パイプ状に形成されると共に、支柱４の上部には上下方向に着脱可能な上取付部材５が取付けられ、支柱４において２個の塀パネルＰが上下に積み重ねられる箇所には中取付部材６が取付けられ、支柱４の下部には下接続部材７が取付けられている。
【００２８】
先ず、上取付部材５は、支柱４及び支柱４に取付けられる縦枠材３の上端部を隠蔽する天板部５１と、天板部５１の下部から、支柱４の内部及び縦枠材３の上端部からコ字状溝３１の内部に向けて挿入される接続片５２が前後に相対向して突出されている。
【００２９】
次に、中取付部材６は、支柱４の側端部に固着される基部６１と、この基部６１から縦枠材３が取付けられる方向に向けて相対向して突出すると共に縦枠材３のコ字状溝３１内に挿入されるする接続片６２とからなる横断面コ字状に形成されたものである。
【００３０】
次に、下取付部材７は、支柱４の側端部に固着される基部７１と、この基部７１から縦枠材３が取付けられる方向に向けて相対向して突出すると共に縦枠材３のコ字状溝３１内に挿入されるする接続片７２とからなる横断面コ字状に形成されたものであり、下取付部材７の下部には底板部７３が設けられ、底板部７３は両接続片７２の外方に水平方向に延設されている。
【００３１】
これらの構造により、塀パネルＰを支柱４の間に取付ける際に、塀パネルＰの縦枠材３の下端部が、下接続部材７の底板部７３上に載置されると共に、縦枠材Ｐの上端部は上取付部材５が取付けられることにより前後方向へ倒れないように支持することが可能となり、塀パネルＰを支柱４間に仮置きすることができる。又、図４に示されるように、塀パネルＰが上下に２段以上積み重ねられる場合は、塀パネルＰの積み重ねられる箇所に取付けられた中取付部材６によって、下方の塀パネルＰの上端部が前後方向に倒れないように支持されると共に、積み重ねられる上方の塀パネルＰの下端部が前後方向に位置ずれしないように支持されるため、同様に塀パネルＰを支柱４の間に仮置きすることができる。
【００３２】
又、これら接続部材の接続片５２、７２の少なくとも一方には螺子孔５３、７４が設けられ、これら螺子孔５３、７４に対向する縦枠材３の側壁部には横長孔３３（図１参照）が設けられている。又、中接続部材６の接続片６２の少なくとも一方には螺子孔６３が上下方向に２個設けられ、螺子孔６３に対向する上下両縦枠材３の側壁部には横長孔３３が設けられている。これにより、支柱４の間に塀パネルＰを仮置きした後に、塀Ｆの一方の面から取付ネジ８を横長孔３３に挿入し、ネジ孔５３、６３、７４に螺入させることによって、縦枠材３が支柱４に固定され、塀パネルＰを支柱４に取付けることができる。尚、接続片５２、６２、７２のネジ孔５３、６３、７４は、バーリング加工等により螺子孔が形成されたものでもよく、ナット等を接続片５２、６２、７２に予め取付けたものでもよい。
【００３３】
図７は図４のＧ−Ｇ断面の主要部を示す拡大横断面図である。支柱４の一方の側端部にコーナー部材９が取付けられ、支柱４どうしが連結されると共に、コーナー部材９が取付けらえた支柱４の側面部の反対側に塀パネルＰがそれぞれ取付けられたものである。
【００３４】
まず、コーナー部材９は、縦長の基板９１と、基板９１の両側端の嵌合部９２を介してそれぞれ回動可能に嵌合された縦長の支柱取付板９３と、基板９１及び嵌合部９２の上下端部を隠蔽すると共に基板９１と両支柱取付板９３との嵌合が外れないようになされたカバー部材９４（図４参照）とからなる。
【００３５】
基板９１は、その両側端から同じ向きにそれぞれ折り返された折り返し部９１１と、折り返し部９１１から外側に向けて突出した突条９１２と、突条９１２の先端に形成された断面略円状の軸部９１３とからなる。そして折り返し部９１１は軸部９１３と同心円状の断面円弧状となされ、折り返し部９１１と軸部９１３との間には円弧状のガイド溝９１４が突条９１２を挟んで設けられている。
【００３６】
支柱取付板９３は、支柱４に固定される際に取付ボルトが挿入する挿入孔（図示せず）が設けられ、又、支柱取付板９３の一側端に断面Ｃ字状で上下方向に延びる嵌合突部９３１が設けられ、この嵌合突起９３１の両側端部は基板９１の両ガイド溝９１４にそれぞれ挿入されると共に、嵌合突起９３１の内部中空部９３２に基板１の軸部９１３が挿入され、嵌合部９２が形成されている。内部中空部９３２の内径は、軸部９１３の外径と同程度であり、基板９１に対して支柱取付板９３が回動可能となされる。
【００３７】
次に、支柱４に対するコーナー部材９の取付方法について詳しく説明する。先ず、一方の支柱４を地表に固定し、他方の支柱４を塀Ｆどうしの交差角度に応じて配置する。他方の支柱４は地表又は土台等の上に載置したものでもよく、地表に固定したものでもよい。そしてコーナー部材９を両支柱４にそれぞれ取付ける。この時、塀Ｆどうしの交差角度に応じてコーナー部材９の基板９１と支柱取付板９３との交差角度を調節する。尚、コーナー部材９は、予め支柱４の一方或いは両方に取付けてもよい。そして、支柱取付板９３の取付孔（図示せず）から、支柱４を貫通する取付ボルトＡを挿入し、支柱４を貫通した取付ボルトＡの螺子部にナットＢを締着する。この際、ナットＢが締着される側に塀パネルＰの縦枠材３が取付けられると共に、ナットＢ及び取付ボルトＡの螺子部先端部は縦枠材３のコ字状溝３２内に収納されるように配置されている。これにより、ナットＢと縦枠材３とが不必要に接触せず、ナットＢと縦枠材３とが干渉を起こさず、それぞれ支柱４に取付けることが可能となる。そして、コーナー部材９を支柱４に取付けた後に、縦枠材３を取付けることが可能となるので、塀Ｆの施工作業が容易となる。尚、支柱４に対する取付ボルトＡによる締結箇所は、１箇所でもよく、２箇所以上の複数箇所でもよく、支柱４に対してコーナー部材９が強固に取付けられる範囲で適宜設定することができる。
【００３８】
コーナー部材９は、本形態に限られるものではない。すなわち、２個の支柱取付板９３とからなり、支柱取付板９３が蝶番によって回動可能に連結されたものでよく、塀Ｆの交差角度に応じて、端部に配置された支柱４どうしを連結できるものであればよく、塀Ｆの施工性等に応じて適宜選択することができる。
【図面の簡単な説明】
【００３９】
【図１】本発明に係る塀パネルの実施の一形態を示す説明図である。
【図２】図１のＡ−Ａ断面の縦断面図である。
【図３】図１のＢ−Ｂ断面の横断面図である。
【図４】本発明に係る塀の実施の一形態を示す説明図である。
【図５】図４の主要部の拡大横断面図である。
【図６】図４の支柱の説明図である。
【図７】図４の他の主要部の拡大横断面図であるである。
【符号の説明】
【００４０】
１    パネル本体
１３、１４  横リブ
２    横枠材
２１  凹溝
３    縦枠材
３１  コ字状溝
３２  凹溝
４    支柱
５    上接続部材
６    中接続部材
７    下接続部材
９    コーナー部材
９１  基板
９３  支柱取付板
Ａ    取付ボルト
Ｂ    ナット
Ｆ    塀
Ｐ    塀パネル３
【図１】
0005046758.tif 000002
【図２】
0005046758.tif 000003
【図３】
0005046758.tif 000004
【図４】
0005046758.tif 000005
【図５】
0005046758.tif 000006
【図６】
0005046758.tif 000007
【図７】
0005046758.tif 000008